【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
所定の周波数ホッピングシーケンスに従って送信データの送信処理を行う無線送信部と、
所定の周波数ホッピングシーケンスに従って、前記無線送信部より送信された通信データの受信処理を行う無線受信部と、
前記周波数ホッピングシーケンスに従って周波数ホッピングを行わせるための情報を前記無線送信部および前記無線受信部の双方に、少なくとも前記無線通信部と前記無線受信部との間で無線通信が行なわれている間は有線で送出するホッピング制御部とを備えることを特徴とする無線通信端末。
【請求項２】
第１の周波数ホッピングシーケンスに従って送信データの送信処理を行う第１無線送信部と、
前記第１の周波数ホッピングシーケンスに従って受信データの受信処理を行う第１無線受信部と、
前記第１の周波数ホッピングシーケンスで特定されるホッピング周波数と重ならないように送信時のホッピング周波数が設定された第２の周波数ホッピングシーケンスに従って送信データの送信処理を行う第２無線送信部と、
前記第２の周波数ホッピングシーケンスに従って受信データの受信処理を行う第２無線受信部と、
前記第１の周波数ホッピングシーケンスに従って周波数ホッピングを行わせるための情報を前記第１無線送信部および前記第１無線受信部の双方に、少なくとも前記第１無線通信部と前記第１無線受信部との間で無線通信が行なわれている間は有線で送出するとともに、前記第２の周波数ホッピングシーケンスに従って周波数ホッピングを行わせるための情報を前記第２無線送信部および前記第２無線受信部の双方に、少なくとも前記第２無線通信部と前記第２無線受信部との間で無線通信が行なわれている間は有線で送出するホッピング制御部とを備えることを特徴とする無線通信端末。
【請求項３】
前記ホッピング制御部は、
互いに重ならないようにホッピング周波数が配列されたホッピングパターンを取得するホッピングパターン取得部と、
前記ホッピングパターンに含まれるホッピング周波数の出力を１スロット分だけ遅延させるホッピングパターン遅延部とを備え、
前記ホッピングパターン取得部にて取得されたホッピングパターンを所定のホッピングタイミングに従って前記第１無線送信部および前記第１無線受信部の双方に、少なくとも前記第１無線通信部と前記第１無線受信部との間で無線通信が行なわれている間は有線で送出するとともに、前記ホッピングパターン遅延部から出力されたホッピングパターンを前記ホッピングタイミングに従って前記第２無線送信部および前記第２無線受信部の双方に、少なくとも前記第２無線通信部と前記第２無線受信部との間で無線通信が行なわれている間は有線で送出することを特徴とする請求項２記載の無線通信端末。
【請求項４】
データ通信のデータ量に基づいてスロット長を設定するスロット長設定部をさらに備え、
前記ホッピング制御部は、前記スロット長設定部にて設定されたスロット長に基づいて、通信時のホッピング周波数を変更することを特徴とする請求項１から３のいずれか１項記載の無線通信端末。
【請求項５】
前記第１および第２無線送信部ならびに前記第１および第２無線受信部は、同一半導体チップ内、同一プリント基板上または同一筐体内または同一モジュール内または同一パッケージ内または一体的に使用される機器内に配置されていることを特徴とする請求項２から４のいずれか１項記載の無線通信端末。
【請求項６】
所定の周波数ホッピングシーケンスに従って送信データの送信処理を行う無線送信部と、
所定の周波数ホッピングシーケンスに従って、前記無線送信部より送信された通信データの受信処理を行う無線受信部と、
前記無線送信部における周波数ホッピング制御を行う第１ホッピング制御部と、
前記無線受信部における周波数ホッピング制御を行う第２ホッピング制御部と、
前記無線送信部および前記無線受信部の周波数ホッピングシーケンスが一致するように、前記第１ホッピング制御部と前記第２ホッピング制御部との間で、少なくとも前記無線通信部と前記無線受信部との間で無線通信が行なわれている間は有線にて制御を行う有線制御部とを備えることを特徴とする無線通信端末。
【請求項７】
前記第１ホッピング制御部側に設けられ、ホッピング周波数が配列されたホッピングパターンを記憶する第１ホッピングパターン記憶部と、
前記第２ホッピング制御部側に設けられ、前記第１ホッピングパターン記憶部に記憶されたホッピングパターンと同一のホッピングパターンを記憶する第２ホッピングパターン記憶部とを備え、
前記有線制御部は、前記無線送信部と前記無線受信部との間のホッピングパターンおよびホッピングタイミングがそれぞれ一致するように、ホッピングパターンの選択と初期位相の設定を通信開始時に行うことを特徴とする請求項６記載の無線通信端末。
【請求項８】
前記第１ホッピング制御部は、ホッピング周波数が配列されたホッピングパターンを生成する第１ホッピングパターン生成部を備え、
前記第２ホッピング制御部は、前記第１ホッピングパターン生成部にて生成されるホッピングパターンと同一のホッピングパターンを生成する第２ホッピングパターン生成部を備え、
前記有線制御部は、前記ホッピングパターンのホッピングタイミングを一致させるリセット信号を前記第１ホッピング制御部と前記第２ホッピング制御部との間で送出させることを特徴とする請求項６記載の無線通信端末。
【請求項９】
データ通信のデータ量に基づいてスロット長を設定するスロット長設定部をさらに備え、
前記第１および第２ホッピング制御部のいずれか少なくとも一方は、前記スロット長設定部にて設定されたスロット長に基づいて、通信時のホッピング周波数を変更することを特徴とする請求項６から８のいずれか１項記載の無線通信端末。
【請求項１０】
前記無線受信部にて受信された受信データの誤り率を検出する誤り率検出部と、
前記誤り率検出部にて検出された誤り率に基づいて、前記周波数ホッピングシーケンスを変更するホッピングシーケンス変更部とをさらに備えることを特徴とする請求項６から９のいずれか１項記載の無線通信端末。
【請求項１１】
同一半導体チップに形成された第１および第２回路ブロックと、
前記第１回路ブロックに対応して前記半導体チップに形成された第１の内部無線通信用アンテナと、
前記第２回路ブロックに対応して前記半導体チップに形成された第２の内部無線通信用アンテナと、
前記第１回路ブロックに対応して前記半導体チップに搭載され、前記第１および第２回路ブロック間におけるデータ伝送を所定の周波数ホッピングシーケンスに従って内部無線通信にて行う第１の内部無線通信制御部と、
前記第２回路ブロックに対応して前記半導体チップに搭載され、前記第１および第２回路ブロック間におけるデータ伝送を所定の周波数ホッピングシーケンスに従って内部無線通信にて行う第２の内部無線通信制御部と、
前記周波数ホッピングシーケンスに従って周波数ホッピングを行わせるための情報を前記第１および第２の内部無線通信制御部の双方に、少なくとも前記第１の内部無線通信用アンテナと前記第２の内部無線通信用アンテナとの間で無線通信が行なわれている間は有線で送出するホッピング制御部とを備えることを特徴とする無線通信端末。
【請求項１２】
実装基板上に実装された第１および第２半導体チップと、
前記第１半導体チップに形成された第１の内部無線通信用アンテナと、
前記第２半導体チップに形成された第２の内部無線通信用アンテナと、
前記第１半導体チップに搭載され、前記第１および第２半導体チップ間におけるデータ伝送を所定の周波数ホッピングシーケンスに従って内部無線通信にて行う第１の内部無線通信制御部と、
前記第２半導体チップに搭載され、前記第１および第２半導体チップ間におけるデータ伝送を所定の周波数ホッピングシーケンスに従って内部無線通信にて行う第２の内部無線通信制御部と、
前記周波数ホッピングシーケンスに従って周波数ホッピングを行わせるための情報を前記第１および第２の内部無線通信制御部の双方に、少なくとも前記第１の内部無線通信用アンテナと前記第２の内部無線通信用アンテナとの間で無線通信が行なわれている間は有線で送出するホッピング制御部とを備えることを特徴とする無線通信端末。
【請求項１３】
第１半導体チップが実装された第１実装基板と、
第２半導体チップが実装された第２実装基板と、
前記第１実装基板上に形成され、前記第１半導体チップに接続された第１の内部無線通信用アンテナと、
前記第２実装基板上に形成され、前記第２半導体チップに接続された第２の内部無線通信用アンテナと、
前記第１半導体チップに搭載され、前記第１および第２実装基板間におけるデータ伝送を所定の周波数ホッピングシーケンスに従って内部無線通信にて行う第１の内部無線通信制御部と、
前記第２半導体チップに搭載され、前記第１および第２実装基板間におけるデータ伝送を所定の周波数ホッピングシーケンスに従って内部無線通信にて行う第２の内部無線通信制御部と、
前記周波数ホッピングシーケンスに従って周波数ホッピングを行わせるための情報を前記第１および第２の内部無線通信制御部の双方に、少なくとも前記第１の内部無線通信用アンテナと前記第２の内部無線通信用アンテナとの間で無線通信が行なわれている間は有線で送出するホッピング制御部とを備えることを特徴とする無線通信端末。
【手続補正２】
【補正対象書類名】明細書
【補正対象項目名】発明の名称
【補正方法】変更
【補正の内容】
【発明の名称】無線通信端末
【手続補正３】
【補正対象書類名】明細書
【補正対象項目名】０００９
【補正方法】変更
【補正の内容】
【０００９】
上述した課題を解決するために、本発明の一態様に係る無線通信端末によれば、所定の周波数ホッピングシーケンスに従って送信データの送信処理を行う無線送信部と、所定の周波数ホッピングシーケンスに従って、前記無線送信部より送信された通信データの受信処理を行う無線受信部と、前記周波数ホッピングシーケンスに従って周波数ホッピングを行わせるための情報を前記無線送信部および前記無線受信部の双方に、少なくとも前記無線通信部と前記無線受信部との間で無線通信が行なわれている間は有線で送出するホッピング制御部とを備えることを特徴とする。
【手続補正４】
【補正対象書類名】明細書
【補正対象項目名】００１１
【補正方法】変更
【補正の内容】
【００１１】
また、本発明の一態様に係る無線通信端末によれば、第１の周波数ホッピングシーケンスに従って送信データの送信処理を行う第１無線送信部と、前記第１の周波数ホッピングシーケンスに従って受信データの受信処理を行う第１無線受信部と、前記第１の周波数ホッピングシーケンスで特定されるホッピング周波数と重ならないように送信時のホッピング周波数が設定された第２の周波数ホッピングシーケンスに従って送信データの送信処理を行う第２無線送信部と、前記第２の周波数ホッピングシーケンスに従って受信データの受信処理を行う第２無線受信部と、前記第１の周波数ホッピングシーケンスに従って周波数ホッピングを行わせるための情報を前記第１無線送信部および前記第１無線受信部の双方に、少なくとも前記第１無線通信部と前記第１無線受信部との間で無線通信が行なわれている間は有線で送出するとともに、前記第２の周波数ホッピングシーケンスに従って周波数ホッピングを行わせるための情報を前記第２無線送信部および前記第２無線受信部の双方に、少なくとも前記第２無線通信部と前記第２無線受信部との間で無線通信が行なわれている間は有線で送出するホッピング制御部とを備えることを特徴とする。
【手続補正５】
【補正対象書類名】明細書
【補正対象項目名】００１３
【補正方法】変更
【補正の内容】
【００１３】
また、本発明の一態様に係る無線通信端末によれば、前記ホッピング制御部は、互いに重ならないようにホッピング周波数が配列されたホッピングパターンを取得するホッピングパターン取得部と、前記ホッピングパターンに含まれるホッピング周波数の出力を１スロット分だけ遅延させるホッピングパターン遅延部とを備え、前記ホッピングパターン取得部にて取得されたホッピングパターンを所定のホッピングタイミングに従って前記第１無線送信部および前記第１無線受信部の双方に、少なくとも前記第１無線通信部と前記第１無線受信部との間で無線通信が行なわれている間は有線で送出するとともに、前記ホッピングパターン遅延部から出力されたホッピングパターンを前記ホッピングタイミングに従って前記第２無線送信部および前記第２無線受信部の双方に、少なくとも前記第２無線通信部と前記第２無線受信部との間で無線通信が行なわれている間は有線で送出することを特徴とする。
【手続補正６】
【補正対象書類名】明細書
【補正対象項目名】００１６
【補正方法】変更
【補正の内容】
【００１６】
また、本発明の一態様に係る無線通信端末によれば、所定の周波数ホッピングシーケンスに従って送信データの送信処理を行う無線送信部と、所定の周波数ホッピングシーケンスに従って、前記無線送信部より送信された通信データの受信処理を行う無線受信部と、  前記無線送信部における周波数ホッピング制御を行う第１ホッピング制御部と、前記無線受信部における周波数ホッピング制御を行う第２ホッピング制御部と、前記無線送信部および前記無線受信部の周波数ホッピングシーケンスが一致するように、前記第１ホッピング制御部と前記第２ホッピング制御部との間で、少なくとも前記無線通信部と前記無線受信部との間で無線通信が行なわれている間は有線にて制御を行う有線制御部とを備えることを特徴とする。
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】削除
【補正の内容】
【手続補正１９】
【補正対象書類名】明細書
【補正対象項目名】００３６
【補正方法】削除
【補正の内容】
【手続補正２０】
【補正対象書類名】明細書
【補正対象項目名】００３７
【補正方法】削除
【補正の内容】
【手続補正２１】
【補正対象書類名】明細書
【補正対象項目名】００３８
【補正方法】削除
【補正の内容】
【手続補正２２】
【補正対象書類名】明細書
【補正対象項目名】００３９
【補正方法】削除
【補正の内容】
【手続補正２３】
【補正対象書類名】明細書
【補正対象項目名】００４０
【補正方法】削除
【補正の内容】
【手続補正２４】
【補正対象書類名】明細書
【補正対象項目名】００４１
【補正方法】変更
【補正の内容】
【００４１】
また、本発明の一態様に係る無線通信端末によれば、同一半導体チップに形成された第１および第２回路ブロックと、前記第１回路ブロックに対応して前記半導体チップに形成された第１の内部無線通信用アンテナと、前記第２回路ブロックに対応して前記半導体チップに形成された第２の内部無線通信用アンテナと、前記第１回路ブロックに対応して前記半導体チップに搭載され、前記第１および第２回路ブロック間におけるデータ伝送を所定の周波数ホッピングシーケンスに従って内部無線通信にて行う第１の内部無線通信制御部と、前記第２回路ブロックに対応して前記半導体チップに搭載され、前記第１および第２回路ブロック間におけるデータ伝送を所定の周波数ホッピングシーケンスに従って内部無線通信にて行う第２の内部無線通信制御部と、前記周波数ホッピングシーケンスに従って周波数ホッピングを行わせるための情報を前記第１および第２の内部無線通信制御部の双方に、少なくとも前記第１の内部無線通信用アンテナと前記第２の内部無線通信用アンテナとの間で無線通信が行なわれている間は有線で送出するホッピング制御部とを備えることを特徴とする。
【手続補正２５】
【補正対象書類名】明細書
【補正対象項目名】００４３
【補正方法】変更
【補正の内容】
【００４３】
また、本発明の一態様に係る無線通信端末によれば、実装基板上に実装された第１および第２半導体チップと、前記第１半導体チップに形成された第１の内部無線通信用アンテナと、前記第２半導体チップに形成された第２の内部無線通信用アンテナと、前記第１半導体チップに搭載され、前記第１および第２半導体チップ間におけるデータ伝送を所定の周波数ホッピングシーケンスに従って内部無線通信にて行う第１の内部無線通信制御部と、  前記第２半導体チップに搭載され、前記第１および第２半導体チップ間におけるデータ伝送を所定の周波数ホッピングシーケンスに従って内部無線通信にて行う第２の内部無線通信制御部と、前記周波数ホッピングシーケンスに従って周波数ホッピングを行わせるための情報を前記第１および第２の内部無線通信制御部の双方に、少なくとも前記第１の内部無線通信用アンテナと前記第２の内部無線通信用アンテナとの間で無線通信が行なわれている間は有線で送出するホッピング制御部とを備えることを特徴とする。
【手続補正２６】
【補正対象書類名】明細書
【補正対象項目名】００４４
【補正方法】変更
【補正の内容】
【００４４】
これにより、実装基板上に実装された半導体チップ間の通信を無線にて行わせることが可能となり、実装基板上に形成される配線数を減らすことを可能となる。このため、実装基板上におけるレイアウト設計の自由度を向上させることが可能となるとともに、大量のデータのやり取りを実装基板上で高速に行わせることが可能となる。
また、本発明の一態様に係る無線通信端末によれば、第１半導体チップが実装された第１実装基板と、第２半導体チップが実装された第２実装基板と、前記第１実装基板上に形成され、前記第１半導体チップに接続された第１の内部無線通信用アンテナと、前記第２実装基板上に形成され、前記第２半導体チップに接続された第２の内部無線通信用アンテナと、前記第１半導体チップに搭載され、前記第１および第２実装基板間におけるデータ伝送を所定の周波数ホッピングシーケンスに従って内部無線通信にて行う第１の内部無線通信制御部と、前記第２半導体チップに搭載され、前記第１および第２実装基板間におけるデータ伝送を所定の周波数ホッピングシーケンスに従って内部無線通信にて行う第２の内部無線通信制御部と、前記周波数ホッピングシーケンスに従って周波数ホッピングを行わせるための情報を前記第１および第２の内部無線通信制御部の双方に、少なくとも前記第１の内部無線通信用アンテナと前記第２の内部無線通信用アンテナとの間で無線通信が行なわれている間は有線で送出するホッピング制御部とを備えることを特徴とする。
【手続補正２７】
【補正対象書類名】明細書
【補正対象項目名】００４５
【補正方法】変更
【補正の内容】
【００４５】
これにより、実装基板間の通信を無線にて行わせることが可能となり、実装基板間に形成される配線数を減らすことを可能となる。このため、実装基板上におけるレイアウト設計の自由度を向上させることが可能となるとともに、大量のデータのやり取りを実装基板間で高速に行わせることが可能となる。
【手続補正２８】
【補正対象書類名】明細書
【補正対象項目名】００４６
【補正方法】削除
【補正の内容】
【手続補正２９】
【補正対象書類名】明細書
【補正対象項目名】００４７
【補正方法】削除
【補正の内容】
【手続補正３０】
【補正対象書類名】明細書
【補正対象項目名】００４８
【補正方法】削除
【補正の内容】
【手続補正３１】
【補正対象書類名】明細書
【補正対象項目名】００４９
【補正方法】削除
【補正の内容】
【手続補正３２】
【補正対象書類名】明細書
【補正対象項目名】００５０
【補正方法】削除
【補正の内容】
【手続補正３３】
【補正対象書類名】明細書
【補正対象項目名】００５１
【補正方法】削除
【補正の内容】
【手続補正３４】
【補正対象書類名】明細書
【補正対象項目名】００５２
【補正方法】削除
【補正の内容】
【手続補正３５】
【補正対象書類名】明細書
【補正対象項目名】００５３
【補正方法】削除
【補正の内容】
【手続補正３６】
【補正対象書類名】明細書
【補正対象項目名】００５４
【補正方法】削除
【補正の内容】
【手続補正３７】
【補正対象書類名】明細書
【補正対象項目名】００５５
【補正方法】削除
【補正の内容】